(57)【要約】【課題】  蓄電機能を有する太陽電池を構成する場合、従来技術ではシステム体積または信頼性に課題があった。本発明によると電極部と裏面金属電極を貫通孔によって並列に接続し、蓄電機能を有したコンデンサ一体型太陽電池を得ることが可能となる。【解決手段】  電極部、光受光部、金属電極部を含む構造であって、電極部と金属電極部が導電物質を充填した貫通孔で接続され、金属電極部とコンデンサ電極によってコンデンサの機能を有する構造であって、太陽電池の機能と蓄電機能を有するコンデンサの機能を持つことを特徴とするコンデンサ一体型太陽電池を構成する。【選択図】  図１
2012227305.tif 000002
【特許請求の範囲】
【請求項１】
第一の電極部と第二の電極部との間に形成された光受光部と、
前記第二の電極部と第三の電極部とを有するコンデンサ部と、
電極間を接続させる導電物質と、
を有し、
前記光受光部は、
前記第一の電極部と接する面から前記第二の電極部と接する面までを貫通させる貫通孔と、当該貫通孔に充填される導電物質とを有しており、
当該導電物質を介して前記第一の電極部と前記第二の電極部とが接続されることを特徴とするコンデンサ一体型太陽電池。
【請求項２】
前記コンデンサ一体型太陽電池は、
前記光受光部から取得された電力を前記コンデンサ部に蓄電させることを特徴とする請求項１記載のコンデンサ一体型太陽電池。
【請求項３】
前記第二の電極部は、
前記第三の電極部と対向する面に多孔質酸化膜を有することを特徴とする請求項１記載のコンデンサ一体型太陽電池。
【請求項４】
前記コンデンサ部は、
前記第二の電極部と前記第三の電極部との間に誘電体を有することを特徴とする請求項１記載のコンデンサ一体型太陽電池。
【請求項５】
前記貫通孔は、
当該貫通孔の投影面積が、前記光受光部において光が照射される面積に対して０．１％以上１０％以下となるように形成されていることを特徴とする請求項１記載のコンデンサ一体型太陽電池。
【請求項６】
前記コンデンサ一体型太陽電池は、
前記第一の電極部と前記受光部との間に前記光受光部に照射された光の反射を防止する反射防止膜をさらに有し、
前記反射防止膜に前記貫通孔が形成されることを特徴とする請求項１記載のコンデンサ一体型太陽電池。
【請求項７】
前記光受光部は、結晶シリコンによって形成されていることを特徴とする請求項１記載のコンデンサ一体型太陽電池。
【請求項８】
前記光受光部は、ｐ型半導体であって、
前記光受光部と前記第一の電極部との間に、n型半導体によって形成されたバッファ層を有することを特徴とする請求項１記載のコンデンサ一体型太陽電池。
【請求項９】
光受光部は有機物質であって、
前記コンデンサ一体型太陽電池は、
前記光受光部と前記第一の電極部との間に形成される正孔輸送層と、
前記光受光部と前記第二の電極部との間に形成される電子輸送層と、
を有することを特徴とする請求項１記載のコンデンサ一体型太陽電池。
【請求項１０】
前記コンデンサ一体型太陽電池は、
前記第二の電極部と前記第三の電極部との間に、電解質を有する活性炭層と、当該電解質を分離させるセパレータとを有することを特徴とする請求項１記載のコンデンサ一体型太陽電池。
【請求項１１】
前記コンデンサ一体型太陽電池は、
前記第三の電極部と前記第四の電極部とを有する第二のコンデンサ部をさらに有することを特徴とする請求項１記載のコンデンサ一体型太陽電池。
【請求項１２】
前記コンデンサ一体型太陽電池は、
前記第四の電極部と前記第五の電極部とを有する第三のコンデンサ部を有し、
前記導電物質は、前記第一の電極部と、前記第二の電極部と、前記第四の電極部とを接続させることを特徴とする請求項１１記載のコンデンサ一体型太陽電池。
【発明の詳細な説明】
【技術分野】
【０００１】
本発明は、蓄電機能を有する太陽電池、とりわけ太陽電池の電極部分とコンデンサの電極部分が共有されたコンデンサ一体型太陽電池に関する。
【背景技術】
【０００２】
太陽光発電に用いる太陽電池セルは波長感度の広いフォトダイオードと解釈でき、太陽電池セルでは蓄電する機能を有していない。したがって、光照度に依存しない出力を得るためには蓄電機能を併用する必要がある。
蓄電機能を併用するにあたり、太陽電池とコンデンサを並列に接続することによって、太陽電池で生じた電力を直接コンデンサに蓄電することが可能となる。蓄電には大容量の電気二重層コンデンサを用いることによって二次電池と同等の蓄電量を得ることができると共に、二次電池のような充放電に関わる制限回路を独自に設けなくて良い利点がある。
特許文献１によれば、太陽電池セルと蓄電機能を別々に設置して蓄電機能を得ることが開示されている。
【０００３】
特許文献２には、太陽電池とコンデンサを並列で接続し、さらに太陽電池と二次電池を直列に接続することによって、二次電池にかかる負荷を最小限にすることが開示されている。
【先行技術文献】
【特許文献】
【０００４】
【特許文献１】特開２０００−２７８８８３号公報
【特許文献２】特開平０５−３６２８号公報
【発明の概要】
【発明が解決しようとする課題】
【０００５】
しかしながら、特許文献１は太陽電池とコンデンサはそれぞれ別個に設置するため、システム体積が増大するという課題があった。また特許文献２は太陽電池の出力変動をコンデンサで吸収することによって、二次電池にかかる負荷変動を抑制しているが、コンデンサ、二次電池とも別に用意する必要があり、さらには配線などの接続が煩雑になるといった課題があった。
本発明はこのような課題に鑑みて、太陽電池とコンデンサによるシステム体積を抑制することと、上記システムを構成する上で配線などの煩雑さを解消することを目的とする。
【課題を解決するための手段】
【０００６】
第一の電極部と第二の電極部との間に形成された光受光部と、前記第二の電極部と第三の電極部とを有する第一のコンデンサ部と、電極間を接続する導電物質と、を有し、前記光受光部は、前記導電物質を充填させる貫通孔を備え、前記導電物質は、前記貫通孔を介して前記第一の電極部と前記第二の電極部とを接続させることを有することを特徴とするコンデンサ一体型太陽電池である。
【発明の効果】
【０００７】
本発明によると、太陽電池とコンデンサを一体型に形成させ、さらに並列に接続させることで、従来の太陽電池本体に蓄電機能を備えさせることができる。したがって、システム構成の煩雑さの解消することができ、効率的で信頼性の高いシステムを構成することができる。
【図面の簡単な説明】
【０００８】
【図１】結晶シリコン太陽電池を光受光部とするコンデンサ一体型太陽電池の一例。
【図２】コンデンサを複数直列に接続されるよう構成したコンデンサ一体型太陽電池の一例。
【図３】化合物系太陽電池を光受光部とするコンデンサ一体型太陽電池の一例。
【図４】有機薄膜太陽電池を光受光部に持つコンデンサ一体型太陽電池の一例。
【図５】電気二重層コンデンサを持つ一体型太陽電池の一例。
【図６】並列接続コンデンサを持つ一体型太陽電池を構成する一例。
【図７】貫通孔１０５の配置例を説明した図面。
【発明を実施するための形態】
【０００９】
以下、本発明を実施するための形態を実施例に沿って説明する。なお、以下の実施例は本発明を実施するための一例であって、実施例で述べている詳細な材料構成、寸法、実施条件等によって、本発明の効果が何ら制限されることは無い。
【実施例１】
【００１０】
本実施例では、結晶シリコン太陽電池を光受光部とするコンデンサ一体型太陽電池１００について説明する。図１は、本実施例である結晶シリコン太陽電池を光受光部とするコンデンサ一体型太陽電池の構成図の一例である。本実施例によるとコンデンサ一体型太陽電池１００は電極部１０１、光受光部１０２、金属電極部１０３、多孔質酸化膜１０４、貫通孔１０５、誘電体１０６、コンデンサ電極１０７から構成されている。
【００１１】
本実施例では電極部１０１、光受光部１０２および金属電極部１０３を以って太陽電池の起電力を発現することが可能である。電極部１０１は通常結晶シリコン太陽電池では負極側に相当し、結晶シリコン太陽電池に対してｎ型ドーパントとなる銀ペーストなどを焼結して構成され、銀ペーストに限らず焼結してドーパントとなる材料が広く適用できる。光受光部１０２は本実施例ではドーピングされたシリコンウェハに相当し、一般的な方法でドーピングされた単結晶または多結晶シリコンウェハが使用できる。ドーピングの方法は結晶シリコン太陽電池として発電できる構成であれば特に制限は無く、気相熱拡散法などが用いられる。
【００１２】
金属電極部１０３は本実施例の場合、アルミニウムペーストなど結晶シリコンに対してｐ型ドーパントとなる金属材料を主に印刷によって設置し、焼結する際に結晶シリコンウェハに熱拡散によってｐ型ドーピングされるであれば、特に制限は無い。本実施例によれば、アルミニウムペーストを通常の結晶シリコン太陽電池と同様の方法で設置すると、既にアルミニウムの自然酸化膜が形成されて、コンデンサの容量を増大させるべく、表面積を増やす役割をする多孔質酸化膜１０４と同様の役割を果たすが、多孔質酸化膜の比表面積が不足しているためにコンデンサ容量が十分に得られない。したがって、金属電極部１０３を通常の方法で設置後、陽極酸化法などによって多孔質形状に加工した金属酸化膜を形成する。多孔質酸化膜の形成方法は先に示した陽極酸化法以外にも幾何学パターニング、化学エッチングなどの方法があるが、これら方法に特に制限は無い。比表面積は電解コンデンサの一般的な容量を満たす数百〜数万程度であることが求められる。
太陽電池部分であるフォトダイオードとコンデンサ部分を並列に接続するために貫通孔１０５が設置される。貫通孔１０５はボール盤などを用いた機械的方法で設置できるが、精度やバリの問題もあるため、レーザを用いた形成法がより適切である。レーザ源は炭酸レーザや各種エキシマレーザなど高出力型が適当であり、波長と出力を制御することによって、貫通範囲を金属電極部１０３までに選択貫通させることが可能である。貫通孔１０５内部には電極部１０１と金属電極部１０３とを接続させる導電物質が注入されるが、電極部１０１で用いた材質と同じ銀ペーストなど、導電性を有する材料であれば問題なく機能する。
【００１３】
貫通孔１０５は太陽電池で発電した電荷をコンデンサに接続するバイパスであるため、十分に低抵抗な電気接続が必要であるが、配線部分は光が遮断されるため、光受光部における太陽光が照射される面に対する貫通孔の占有面積は０．１％以上１０％以下が求められる。貫通孔の面積が０．１％以下であれば十分な許容電流をコンデンサへ流すことができず、また当該面積が１０％以上では、光受光面の遮光面積が増大し、太陽電池の発電量が減少してしまう。
図７に貫通孔の投影図の一例を示す。たとえば電極部１０１に沿ったパターニングや、受光に影響しない部分でパターニングすることなどがあげられるが、図６のパターンに制限されるものではない。図７の場合、反射防止膜１０８下の光受光部１０２における太陽光が照射される面に対し、貫通孔１０５の占める面積は、０．１％以上１０％以下となるようにする。
【００１４】
コンデンサ一体型太陽電池１００のコンデンサ部分の蓄電機能を付与するために誘電体１０６が多孔質酸化膜１０４とコンデンサ電極１０７に接して設置される。誘電体１０６が存在しなくても電解コンデンサとして機能するが、金属電極部１０３とコンデンサ電極１０７が短絡することを防止する機能を付与できるため、設置することが望ましい。膜厚はごく薄くてよいが、１０〜１００ｎｍが条件を満たすために望ましい。誘電体の材質に特に制限は無いがＰＥＤＯＴ−ＰＳＳなどの固体電解質などが望ましい。
【００１５】
コンデンサ一体型太陽電池１００のコンデンサ部分の電極としてコンデンサ電極１０７が設置される。コンデンサ電極１０７はアルミニウムなどの種々の電極によって構成され、コンデンサの機能を満たす限り制限は無い。
【００１６】
結晶シリコン太陽電池を光受光部に持つコンデンサ一体型太陽電池の場合、結晶シリコン太陽電池に一般的に設けられている反射防止膜１０８を設けても何ら問題は無い。その際、貫通孔１０５は、反射防止膜１０８にも形成され、反射防止膜上の電極部１０１導通させる。反射防止膜は窒化シリコン薄膜などが用いられ、化学体積法（Ｃｈｅｍｉｃａｌ  Ｖａｐｅｒ  ｄｅｐｏｓｉｔｉｏｎ，ＣＶＤ）などの方法によって設置することができる。
【００１７】
以上の構成によって、結晶シリコン太陽電池を光受光部に持つコンデンサ一体型太陽電池を構成することが可能である。
【００１８】
コンデンサの容量をさらに増大させるべく、図２に示すように、１０４，１０６，１０７の構成をさらに追加し、コンデンサを複数直列接続にしてもよい。この場合、二つのコンデンサの電極を担うコンデンサ電極１０７−２は、不織布などのメッシュ状の導電性物質を用いることが望ましい。
【００１９】
本実施例により、太陽電池によって発電した電力を、当該太陽電池と一体化した金属電極部から構成されるコンデンサによって蓄電することが可能となる。したがって、太陽電池とコンデンサによるシステムをコンパクトに構成することができる。さらに、蓄電機能がコンデンサであるため、従来不可欠であった保護回路が不要となる等、システムの接続の煩雑さを解消することができる。また、太陽電池とコンデンサを接続するための配線を有しないため、駆動信頼性を高める効果もある。
【実施例２】
【００２０】
実施例２では化合物系太陽電池を光受光部とするコンデンサ一体型太陽電池２００について説明する。  図３は本実施例である化合物系太陽電池を光受光部とするコンデンサ一体型太陽電池の構成図である。図３に示すコンデンサ一体型太陽電池２００の場合、実施例１で示した結晶シリコン太陽電池と比較して、薄膜太陽電池であるため軽量化が可能であり、製造方法の工夫によってフレキシブル化も可能である。また、金属電極部１０３を構成する金属基板１１３にバルク金属を用いることができるので、内部抵抗の低減が期待できる。本実施例では実施例１と明らかに重複する場合は適宜省略して詳細説明する。
【００２１】
実施例２の光受光部１０２中の化合物系太陽電池は銅、インジウム、ガリウム、セレンからなる化合物半導体層（以下ＣＩＧＳ太陽電池層）１０９を用いる。ＣＩＧＳ太陽電池は高効率、製膜容易な太陽電池であり、本発明にも優れた効果を発揮する。
【００２２】
実施例２のコンデンサ一体型太陽電池を作製する場合は、金属電極部１０３と多孔質酸化膜１０４、誘電体１０６およびコンデンサ電極１０７をまず作製し、その基板を出発として光受光部１０２および電極部１０１を順に製膜する。以下、作製手順に従って説明する。
【００２３】
金属電極部１０３にはＣＩＧＳ太陽電池として適用可能な金属基板１１３が必要であり、一例としてアルミニウムやステンレス基板があげられる。この金属基板１１３の片面にモリブデン薄膜１１２をスパッタリング等の方法により、厚さ１００〜５００ｎｍ製膜する。金属基板１１３の他方面には多孔質酸化膜１０４を陽極酸化法などによって設置する。多孔質酸化膜の必要条件は実施例１と同様である。
【００２４】
このようにして金属電極部１０３、多孔質酸化膜１０４、誘電体１０６およびコンデンサ電極１０７を含むコンデンサ機能を有する金属基板を得ることができる。この金属基板に対して、光受光部１０２を形成する。ＣＩＧＳ太陽電池層１０９は気相セレン化、固相セレン化、三段階法など既存の方法によって作製することができる。ＣＩＧＳ化合物半導体層１０９に接する形で接合界面を形成するバッファ層１１０を製膜する。バッファ層１１０は溶液成長法（Ｃｈｅｍｉｃａｌ  Ｂａｔｈ  Ｄｅｐｏｓｉｔｉｏｎ，ＣＢＤ法）などの既存の方法で１０〜１００ｎｍ程度の薄膜を作製することができる。このバッファ層に接する形でノンドープ酸化亜鉛１１１をスパッタリングやＣＶＤ法などの手段で製膜する。ノンドープ酸化亜鉛１１１は太陽電池部分の短絡防止と太陽電池の性能改善に寄与する。電極部１０１には透明電極の機能を有する酸化物が用いられ、一例としてＩＴＯ（スズドープの酸化インジウム）、ＺｎＯ（ノンドープ酸化亜鉛）、ＢＺＯ（ほう素ドープ酸化亜鉛）、ＡＺＯ（アルミニウムドープ酸化亜鉛）などが適用可能である。本実施例に適用する場合、当該バッファ層はn型半導体としての役割を担う。
【００２５】
このような手順で作製された化合物系太陽電池を光受光部とするコンデンサ一体型太陽電池２００の太陽電池部分で発電した電力をコンデンサ部分に蓄電するために貫通孔１０５が作製される。貫通孔１０５の作製方法と貫通孔１０５に充填される導電材料は実施例１と同様に形成される。
【実施例３】
【００２６】
実施例３では有機薄膜太陽電池を光受光部に持つコンデンサ一体型太陽電池３００について説明する。図４に示した有機薄膜太陽電池を有するコンデンサ一体型太陽電池３００は窓電極側から連続して作製可能であるから、製造コストの低減の観点から実施例１および実施例２と比較して優位性がある。また、有機薄膜太陽電池として構成することにより、実施例１、２と比較して、膜厚を一層薄くすることができるため、よりコンパクトでシステム体積の小さいコンデンサ一体型太陽電池を形成することが可能となる。尚、実施例３を構成する項目のうち、実施例１または実施例２と同様の必要条件で効果を満たせる場合については適宜説明を省略する。
【００２７】
有機薄膜太陽電池を光受光部に持つコンデンサ一体型太陽電池３００の作製方法は電極部１０１と光受光部１０２までを構成した部分と、金属電極部１０３、多孔質酸化膜１０４、誘電体１０６およびコンデンサ電極１０７を有するコンデンサ部分を別々に用意し、両者をラミネートで密着する方法で作製する。両者を密着後、貫通孔１０５を施し、有機薄膜太陽電池を光受光部に持つコンデンサ一体型太陽電池３００が完成する。以下詳細に説明する。
【００２８】
電極部１０１はコンデンサ一体型太陽電池３００の太陽電池部分を保持するために必要な透明基板１１４と透明電極１１５によって構成されている。透明基板１１４はガラス基板やＰＥＴ（ポリエチレンテレフタレート）、ＰＥＮ（ポリエチレンナフタレート）をはじめとする透明樹脂基板などを用いることができ、光受光を可能とするための透明性があれば特に制限は無い。透明基板１１４は光受光を可能とする導電性があれば特に制限は無く、一例としてＩＴＯ（スズドープの酸化インジウム）、ＺｎＯ（ノンドープ酸化亜鉛）、ＢＺＯ（ほう素ドープ酸化亜鉛）、ＡＺＯ（アルミニウムドープ酸化亜鉛）などの金属酸化物をスパッタリング、ＣＶＤ法などの既存の方法によって作製可能である。
【００２９】
光受光部１０２には正孔輸送層１１６、有機光受光部１１７によって構成されている。正孔輸送層１１６は透明電極１１５に接して、ポリエチレンジオキシチオフェン／ポリスチレンスルホン酸ナトリウム（ＰＥＤＯＴ−ＰＳＳ）混合分散液をスピンコートなど既存の方法で塗布することによって、１０〜１００ｎｍの薄膜を形成できる。有機光受光部１１７はバルクヘテロ接合型と呼ばれるｐ型有機半導体とｎ型有機半導体がそれぞれ薄膜バルク内部で接合状態を形成している。ｐ型半導体は一般に共役高分子が用いられ、たとえばポリ−３ヘキシルチオフェンなどが適用される。ｎ型有機半導体はフラーレン誘導体が一般的に利用でき、代表例としてメタノフラーレンであるＣ６１−ＰＣＢＭ（［６，６］−Ｐｈｅｎｙｌ−Ｃ６１−Ｂｕｔｙｒｉｃ  Ａｃｉｄ  Ｍｅｔｈｙｌ  Ｅｓｔｅｒ）があげられる。ｐ型有機半導体とｎ型有機半導体を適切な溶媒に混合溶解し、正孔輸送層１１６に接する形でスピンコート等の既存の方法によって塗布形成することができる。
【００３０】
また、有機光受光部１１７は低分子化合物の蒸着によっても形成できる。たとえば、正孔輸送層１１６に接する形でまずフタロシアニン誘導体を蒸着し、ついでフタロシアニン誘導体とフラーレン誘導体とを共蒸着し、さらにフラーレン誘導体を共蒸着することによっても有機光受光部１１７を形成可能である。
【００３１】
コンデンサ機能を有する金属電極部１０３、多孔質酸化膜１０４、誘電体１０６およびコンデンサ電極１０７は以下のように形成する。金属電極部１０３はアルミニウム等の金属電極を適宜用いることができ、これに多孔質酸化膜１０４、誘電体１０６およびコンデンサ電極１０７を実施例１および実施例２と同様の材料および条件で作製する。金属電極部１０３と電極部１０１および光受光部１０２を含む太陽電池部分とをラミネートにより密着させるために、金属電極部の片面に上記バルクヘテロ接合型の有機光受光部を構成する同じ材料からなる薄膜を設置する。このようにして、共役高分子同士をラミネートすることに容易に密着性を確保することが可能となる。
【００３２】
太陽電池部分の性能向上のために、金属電極部に接して、電子輸送層１１８を設置する場合もある。電子輸送層としては、酸化チタン薄膜などを用いることができ、ゾルゲル法などの既存の方法で膜厚１０ｎｍ以下で設置される。電子輸送層１１８を設置した場合、これに接して有機光受光層を構成する同じ材料からなる薄膜を設置したのち、ラミネートによって太陽電池部分と密着することができる。
【００３３】
ラミネートで密着したのち、実施例１または実施例２と同様の条件で貫通孔１０５を設置し、導電物質が充填されて、有機薄膜太陽電池を光受光部に持つコンデンサ一体型太陽電池３００が完成する。
【実施例４】
【００３４】
実施例１から実施例３で示したコンデンサ一体型太陽電池は電解コンデンサの機能を有する。電解コンデンサは多孔質酸化膜の表面積によって電気容量を確保できるが、放電時間が短い。本発明によれば、放電時間とさらなる電気容量の増大を電気二重層コンデンサの構造によって容易に実現できる。実施例１で示した結晶シリコン太陽電池を持つコンデンサ一体型太陽電池を改良した電気二重層コンデンサを持つ一体型太陽電池４００について説明する。なお、実施例１と重複する内容は適宜省略する。
【００３５】
図５に電気二重層コンデンサを持つ一体型太陽電池４００の断面構造図を示す。電気二重層コンデンサの構造は電極および誘電体の構造を変えることによって実現できる。電気二重層を形成するため、電解質を含む活性炭層１１９をスクリーン印刷などの既存の方法で設置する。電解質は耐久性の高い高分子電解質やイオン液体などが適当であるが、特に制限は無い。両極の活性炭層間において、電解質中のイオン種の拡散を分離するためにセパレータ１２０を電極間に設置される。電気二重層コンデンサによって、電気容量および放電時間の改善が可能となる。
【実施例５】
【００３６】
実施例５はコンデンサの容量を増大させるため、一体型の構造を持ちながら、コンデンサ部分を２つ以上並列に接続した並列接続コンデンサを持つ一体型太陽電池５００について図６を用いて説明する。なお、図５は実施例１に示した結晶シリコン太陽電池を持つコンデンサ一体型太陽電池を改良した構造であり、実施例１との重複部分は適宜省略する。
【００３７】
図６に示すように、第一コンデンサ１２１と第二コンデンサ１２２は直列に接続され、直列コンデンサ部１２４を形成している。さらに、直列コンデンサ部１２４と第三コンデンサ１２３は並列に接続され、並列コンデンサ部１２５を形成している。
このように２つ以上のコンデンサ構造を並列に接続するため、金属電極部１０３がコンデンサに内蔵されている部分については両面に多孔質酸化膜１０４が設置されており、金属電極部１０３とコンデンサ電極１０７が交互に設置され、金属電極部１０３のみ貫通孔１０５で接続された構造を有しており、充填された導電物質によって、電極部１０１と二つの電極部１０３と接続させている。この構造によって、コンデンサ部分は並列に接続され、電気容量の合成容量は個別のコンデンサ部分の総和であることから、システム体積の小型化を維持して、電気容量の増大が可能である。
また、本実施例のような並列接続の場合、図２のように直列に接続された場合と比較して、放電時の時定数を下げることができ、放電速度を速めることができる。
【符号の説明】
【００３８】
１００  結晶シリコン太陽電池を光受光部とするコンデンサ一体型太陽電池
１０１  電極部
１０２  光受光部
１０３  金属電極部
１０４  多孔質酸化膜
１０５  貫通孔
１０６  誘電体
１０７  コンデンサ電極
１０７−２  コンデンサ電極
１０８  反射防止膜
１０９  化合物半導体層（ＣＩＧＳ太陽電池層）
１１０  バッファ層
１１１  ノンドープ酸化亜鉛
１１２  モリブデン薄膜
１１３  金属基板
１１４  透明基板
１１５  透明電極
１１６  正孔輸送層
１１７  有機光受光部
１１８  電子輸送層
１１９  活性炭層
１２０  セパレータ
１２１  第一コンデンサ
１２２  第二コンデンサ
１２３  第三コンデンサ
１２４  直列コンデンサ部
１２５  並列コンデンサ部
２００  化合物系太陽電池を光受光部とするコンデンサ一体型太陽電池
３００  有機薄膜太陽電池を光受光部に持つコンデンサ一体型太陽電池
４００  電気二重層コンデンサを持つ一体型太陽電池
５００  並列接続コンデンサを持つ一体型太陽電池
【図１】
2012227305.tif 000003
【図２】
2012227305.tif 000004
【図３】
2012227305.tif 000005
【図４】
2012227305.tif 000006
【図５】
2012227305.tif 000007
【図６】
2012227305.tif 000008
【図７】
2012227305.tif 000009